(57)【要約】      （修正有）【課題】にんにくのりん片に酵素入りの液体を滴下するとともに、ＬＥＤ照明を照射して早期に多量の収穫が得られる、にんにくの促成栽培方法とその装置を提供する。【解決手段】種球のにんにくから各りん片を取り出して、個々にりん片を栽培するにんにくの栽培方法であって、これら各りん片を起立・保持させる保持具５を複数個並べて置き、該各りん片に酵素入りの液体Ｚを滴下させると供に、該液体をりん片の根にも施肥し、且つ、各りん片にＬＥＤ照明Ｙを照射させて栽培することを特徴とするにんにくの促成栽培方法および促成栽培装置から構成される。【選択図】図１
2018074947.tif 000002
【特許請求の範囲】
【請求項１】
種球のにんにくから各りん片を取り出して、個々にりん片を栽培するにんにくの栽培方法であって、
これら各りん片（Ｘ）を起立・保持させる保持具（５）を複数個並べて置き、
該各りん片に酵素入りの液体（Ｚ）を滴下させると供に、該液体をりん片の根にも施肥し、
且つ、各りん片にＲＥＤ照明（Ｙ）を照射させて栽培する
ことを特徴とするにんにくの促成栽培方法。
【請求項２】
前記ＬＥＤ照明（Ｙ）は、昼夜２４時間中照射する
ことを特徴とする請求項１記載のにんにくの促成栽培方法。
【請求項３】
酵素入りの液体（Ｚ）が、植物性酵素入りの液体である
ことを特徴とする請求項１記載のにんにくの促成栽培方法。
【請求項４】
上部に、酵素入り液体（Ｚ）を入れ、底面には無数の小孔（３ａ）を穿設した散水タンク（３）を配置し、
下部には、該散水タンク（３）より滴下する酵素入り液体（Ｚ）を受ける植付タンク（４）を設け、
該タンク（４）の上部には、にんにくのりん片（Ｘ）を保持する保持具（５）を設け、
該保持具（５）の側面に，所定の角度内側に向けて傾斜した側板（６）を設け、
該板（６）にＬＥＤ照明（Ｙ）を設けた、栽培装置本体（１）からなる
ことを特徴とするにんにくの促成栽培装置。
【請求項５】
前記保持具（５）は、前期植付タンク（４）の上部に位置しており、上・下で網目の異なる２枚の通水板（５ａ）（５ｂ）で構成し、
上部の通水板（５ａ）はメッシュを大きく、下部の通水板（５ｂ）はメッシュを小さく形成し、
該上部の通水板（５ａ）と下部の通水板（５ｂ）とは、にんにくのりん片（Ｘ）が起立可能な縦幅寸法（α）を保って設ける
ことを特徴とする請求項４記載のにんにくの促成栽培装置。
【請求項６】
前記側板（６）は、内側面を鏡面仕上げに形成し、
該鏡面にＬＥＤ照明（Ｙ）を設けた
ことを特徴とする請求項４記載のにんにくの促成栽培装置。
【請求項７】
前記請求項４記載のにんにくの栽培装置本体（１）を、複数段積層した
ことを特徴とするにんにくの促成栽培装置。
【請求項８】
前記栽培装置本体（１）の上部に、上タンク（２ａ）を設け、下部には下タンク（２ｂ）を設け、
該上タンク（２ａ）からは、各散水タンク（３）に向けて、酵素入り液体（Ｚ）の分配する分配管（７）を設け、
該下タンク（２ｂ）は、植付タンク（４）より滴下した酵素入り液体（Ｚ）を受け、再び、上タンク（２ａ）に向けて戻す
ことを特徴とする請求項４または７記載のにんにくの促成栽培装置。
【請求項９】
前記散水タンク（３）の平面の面積を、その上方に位置する前記植付タンク（４）と同一、あるいは、半分の大きさに形成する
ことを特徴とする請求項４または５または８記載のにんにくの促成栽培装置。
【発明の詳細な説明】
【技術分野】
【０００１】
この発明は、にんにくの促成栽培方法およびその促成栽培装置に関するものである。
【背景技術】
【０００２】
従来、ゆり科の野菜であるにんにくには、疲労回復の効果・殺菌効果があり、風邪などのウイルスにも効力があり、消化機能を高め血液をサラサラにする働きがあるといわれ、にんにくに含まれる栄養素は、ビタミンＢ１をはじめタンパク質・炭水化物・リンなどを豊富に含み成人疾患の予防に良いといわれている。
【０００３】
そして、にんにくの栽培は、露地栽培やプランターで栽培されるが、秋ににんにくの種球を植えると翌年の春〜夏に収穫できるものであった。
【０００４】
しかしながら、このように人体にとって有益な野菜は、より早く、より多量に収穫できる栽培方法や栽培装置の開発が期待されている。にんにくのりん片を用いて栽培する技術は開示されている。例えば、特許文献１のように。
【先行技術文献】
【特許文献】
【０００５】
【特許文献１】特開２０１６−１３６８９５号公報
【０００６】
しかし、この技術は、底面に孔を有する容器ににんにくのりん片を入れ、前記孔の部分からにんにくのりん片の根元に液体肥料をかける栽培方法である。
【発明の概要】
【発明が解決しようとする課題】
【０００７】
この発明の課題は、にんにくのりん片に酵素入りの液体を滴下するとともに、ＬＥＤ照明を照射して早期に多量の収穫が得られる、にんにくの促成栽培方法とその装置を開発・提供する事にある。
【課題を解決するための手段】
【０００８】
この発明のにんにくの促成栽培方法は、
種球のにんにくから各りん片を取り出して、個々にりん片を栽培するにんにくの栽培方法であって、
これら各りん片を起立・保持させる保持具を複数個並べて置き、
該各りん片に酵素入りの液体を滴下させると供に、該液体をりん片の根にも施肥し、
且つ、各りん片にＬＥＤ照明を照射させて栽培する
ことを特徴とする。
【０００９】
また、
前記ＬＥＤ照明は、昼夜２４時間中照射する
ことを特徴とする。
【００１０】
さらに、
酵素入りの液体が、植物性酵素入りの液体である
ことを特徴とする。
【００１１】
次に、この発明のにんにくの栽培装置は、
上部に、酵素入り液体を入れ、底面には無数の小孔を穿設した散水タンクを配置し、
下部には、該散水タンクより滴下する酵素入り液体を受ける植付タンクを設け、
該タンクの上部には、にんにくのりん片を保持する保持具を設け、
該保持具の側面に，所定の角度内側に向けて傾斜した側板を設け、
該板にＬＥＤ照明を設けた、栽培装置本体からなる
ことを特徴とする。
【００１２】
そして、
前記保持具は、前期植付タンクの上部に位置しており、上・下で網目の異なる２枚の通水板で構成し、
上部の通水板はメッシュを大きく、下部の通水板はメッシュを小さく形成し、
該上部の通水板と下部の通水板とは、にんにくのりん片が起立可能な縦幅寸法を保って設ける
ことを特徴とする。
【００１３】
前記側板は、内側面を鏡面仕上げに形成し、
該鏡面にＬＥＤ照明を設けた
ことを特徴とする。
【００１４】
前記にんにくの栽培装置本体を、複数段積層した
ことを特徴とする。
【００１５】
前記栽培装置本体の上部に、上タンクを設け、下部には下タンクを設け、
該上タンクからは、各散水タンクに向けて、酵素入り液体の分配する供給管を設け、
該下タンクは、植付タンクより滴下した酵素入り液体を受け、再び、上タンクに向けて戻す
ことを特徴とする。
【００１６】
前記散水タンクの平面の面積を、その上方に位置する前記植付タンクと同一、あるいは、半分の大きさに形成する
ことを特徴とする。
【発明の効果】
【００１７】
この発明によると、にんにくのりん片に酵素入り液体を滴下すると共に、この滴下した酵素入り液体でにんにくのりん片の根に施肥をし、且つ、ＬＥＤ照明を昼夜２４時間照射することにより、４日から５日くらいで出荷できる等の効果を奏する。
【図面の簡単な説明】
【００１８】
【図１】この発明の促成栽培装置の一実施例を示し、（Ａ）は、平面図であり、（Ｂ）は、正面図である。
【図２】この発明の促成栽培装置の一実施例を示す右側面図である。
【図３】この発明の促成栽培装置であって、（Ａ）は、図１（Ｂ）中ａ−ａ断面図であり、（Ｂ）は、図１（Ｂ）中ｂ−ｂ断面図である。
【図４】この発明の促成栽培装置であって、図１（Ｂ）中のｃ部分の一部拡大正面図である。
【図５】この発明の促成栽培装置であって、図１（Ｂ）中のｄ部分の一部拡大正面図である。
【発明を実施するための形態】
【００１９】
以下、この発明について詳細に説明する。尚、この発明においては、以下の記述に限定されるものではなく、この発明の要旨を逸脱しない範囲においては適宜変更可能である。
【実施例】
【００２０】
そこで、先ず、この発明の第１の発明である「方法の発明」の一実施例を図面に基づいて詳述すると、種球のにんにくから各りん片を取り出して、個々にりん片を栽培するにんにくの栽培方法であって、
これら各りん片（Ｘ）を起立・保持させる保持具（５）に、にんにくを複数個並べて置き、該各りん片に酵素入りの液体（Ｚ）を滴下させると供に、該液体をりん片の根にも施肥し、且つ、各りん片にＬＥＤ照明（Ｙ）を照射させて栽培することを特徴とするにんにくの促成栽培方法から構成されるものである。雰囲気温度は２０℃くらいがよい。
【００２１】
本願発明の促成栽培方法に使用するにんにくのりん片（Ｘ）は、種球のにんにくより外皮を剥ぎ取り内部のりん片を使用するものであり、前記前記ＬＥＤ照明（Ｙ）は、昼夜２４時間中照射するものであり、雰囲気温度は２０℃くらいがよく、さらに、前記酵素入りの液体（Ｚ）が、植物性酵素入りの液体であることを特徴とするにんにくの促成栽培方法である。
【００２２】
次に、この発明の第２の発明である「装置の発明」の一実施例を図面に基づいて詳述すると、上部に、酵素入り液体（Ｚ）を入れ、底面には無数の小孔（３ａ）〔例えば、０．２ｍｍ〜０．８ｍｍ程度〕を穿設した散水タンク（３）を配置し、下部には、該散水タンク（３）より滴下する酵素入り液体（Ｚ）を受ける植付タンク（４）を設け、該タンク（４）の上部には、にんにくのりん片（Ｘ）を保持する保持具（５）を設け、該保持具（５）の側面に，所定の角度内側に向けて傾斜した側板（６）を設け、該板（６）にＬＥＤ照明（Ｙ）を設けた、栽培装置本体（１）からなることを特徴とするにんにくの促成栽培装置である。
【００２３】
そして、前記保持具（５）は、２枚の通水板である上部通水板（５ａ）と下部通水板（５ｂ）から構成されており、下部通水板（５ｂ）は、前記植付タンク（４）内に充填された，前記酵素入り液体（Ｚ）の液面に位置している。これらの通水板は、上・下で網目の異なる板（５ａ）（５ｂ）で構成され、上部通水板（５ａ）はメッシュを大きく、一例としては、３０ｍｍ四方のメッシュ、下部通水板（５ｂ）はメッシュを小さく、一例としては１０ｍｍ四方のメッシュで形成し、該上部の通水板（５ａ）と下部の通水板（５ｂ）とは、にんにくのりん片（Ｘ）が起立可能な縦幅寸法（α）を保って設けており、植付タンク（４）の底部と下部通水板（５ｂ）との間に、多孔穴を有する，通水板受け多孔穴明ライナー（Ｏ１）を設け、同様に、下部通水板（５ｂ）と、上部通水板（５ａ）との間にも通水板受けライナー（Ｏ２）を設け、これらの間隔を保持している。また、前記植付タンク（４）の底部には清掃用ドレン（Ｔ３）設け、この先にはバルブ（Ｒ５）を設けている。
【００２４】
また、前記保持具（５）である，上部及び下部の通水板（５ａ）（５ｂ）及びライナー（Ｏ１）（Ｏ２）は、製織された金網板、あるいは、パンチングメタル板であってもよく、また、前記側板（６）は、内側鏡面仕上げに形成し、該鏡面に１又は複数個のＬＥＤ照明（Ｙ）を設け、該照明（Ｙ）を鏡面の反射により明るくし、にんにくのりん片（Ｘ）の生育を補助するものである。
【００２５】
さらに、この発明の第２の発明である「装置の発明」の他の実施例を図面に基づいて詳述すると、前記栽培装置本体（１）を枠材（Ｗ）で適宜な台数積層して設け、最上段の栽培装置本体（１）の上部に上タンク（２ａ）を設け、最下段の栽培装置本体（１）の下部には下タンク（２ｂ）を設け、該上タンク（２ａ）からは、各散水タンク（３）に向けて、酵素入り液体（Ｚ）を分配する分配するバルブ付き分配供給管（７）の保持具（５）をそれぞれ設け、該下タンク（２ｂ）は、上タンク（２ａ）より滴下し、植付タンク（４）上の保持具（５）に保持された各にんにくのりん片（Ｘ）に振りかけた余分の酵素入り液体（Ｚ）を、最上部の栽培装置本体（１）の散水タンク（３）から最下部の栽培装置本体（１）の植付タンク（４）を介して下タンク（２ｂ）に回収し、使用済みの酵素入り液体（Ｚ）を戻り管（８）で、再び、上タンク（２ａ）に向けて戻すよう構成する多段促成栽培装置（１０）である。
【００２６】
そして、各散水タンク（３）の上縁部には、オーバーフロー用の穴（Ｖ）がそれぞれ設けており、各植付タンク（４）には、水位調整パイプ（９）を設け、酵素入り液体（Ｚ）のオーバーフローを防止し、一定の水位を保つように構成しており、また、各植付タンク（４）の底部にドレン（Ｔ３）を設け、その先端に排水バルブ（Ｒ５）を設けて排水可能に構成している。
【００２７】
また、前記各散水タンク（３）の平面の面積は、図１（Ｂ）、図３（Ａ）に示すように、該タンク（３）の下方に位置する前記植付タンク（４）〔図３（Ｂ）〕の面積の半分であってもよく、半分にすることにより、滴下する酵素入りの液体（Ｚ）の量を少なくして、促成栽培するにんにくの量を調整するものである。もちろん、同一の大きさであってもよい。
【００２８】
そして、図５に示すように、前記の上タンク（２ａ）に、酵素入り液体（Ｚ）を入れ、該液体（Ｚ）は、長・中・短の３本の電極棒（Ｅ１）（Ｅ２）（Ｅ３）を有する電極保持器（Ｑ）で、ポンプ（Ｐ）と連動して設け、前記酵素入り液体（Ｚ）の水位が下がり中棒（Ｅ２）の位置にきた時に、ポンプ（Ｐ）は運転を開始し、水位が短棒（Ｅ３）の位置を越えるとポンプ（Ｐ）は停止する。なお、長棒（Ｅ１）の電極棒は、アースである。
【００２９】
また、ストレーナー（Ｓ）は、不織布（ろ布）を使用した袋を設けて、下タンク（２ｂ）より戻った前記酵素入り液体（Ｚ）中の不純物を漉すよう構成されている。
【産業上の利用可能性】
【００３０】
この発明のにんにくの促成栽培方法およびその促成栽培装置の技術を確立し、実施することにより産業上利用できるものである。
【符号の説明】
【００３１】
１  促成栽培装置
２ａ  上タンク
２ｂ  下タンク
３  散水タンク
３ａ  小孔
４  植付タンク
５  保持具
５ａ  上部通水板
５ｂ  下部通水板
６  側板
７  分配供給管
８  戻り管
９  水位調整パイプ
１０  多段促成栽培装置
Ｅ１  長棒
Ｅ２  中棒
Ｅ３  短棒
Ｏ１  通水受けライナー
Ｏ２ 通水受けライナー 
Ｐ  ポンプ
Ｑ  電極保持器
Ｒ１  排水バルブ
Ｒ２  供給バルブ
Ｒ３  上タンクオーバーフロートジョイント
Ｒ４  排水バルブ
Ｒ５  排水バルブ
Ｒ６  植付タンクオーバーフロージョイント
Ｒ７  下タンクオーバーフロージョイント
Ｓ  ストレーナー
Ｔ１  ドレン（上タンク）
Ｔ２  ドレン（下タンク）
Ｔ３  ドレン（植付タンク）
Ｔ４  ドレン（散水タンク）
Ｕ  給水バルブ
Ｖ  オーバーフロー用穴
Ｗ  枠材
Ｘ  にんにくのりん片
Ｙ  ＬＥＤ照明
Ｚ  酵素入りの液体
【図１】
2018074947.tif 000003
【図２】
2018074947.tif 000004
【図３】
2018074947.tif 000005
【図４】
2018074947.tif 000006
【図５】
2018074947.tif 000007
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
種球のにんにくから各りん片を取り出して、個々にりん片を栽培するにんにくの促成栽培方法であって、
これら各りん片（Ｘ）を起立・保持させる保持具（５）を複数個並べて置き、
該各りん片に上方より酵素入りの液体（Ｚ）を滴下させると供に、該液体をりん片の根にも施肥し、
且つ、各りん片にＬＥＤ照明（Ｙ）を照射させて栽培する
にんにくの促成栽培方法において、
前記保持具（５）は、網目が異なる大・小の２枚の通水板（５ａ）（５ｂ）を用い、
大の網目の通水板（５ａ）は上に、小の網目の通水板（５ｂ）は下に設け、
これら上と下の間に、にんにくのりん片（Ｘ）が起立可能な縦幅寸法（α）を保った保持具（５）を使用する
ことを特徴とするにんにくの促成栽培方法。
【請求項２】
前記ＬＥＤ照明（Ｙ）は、昼夜２４時間中照射する
ことを特徴とする請求項１記載のにんにくの促成栽培方法。
【請求項３】
酵素入りの液体（Ｚ）が、植物性酵素入りの液体である
ことを特徴とする請求項１記載のにんにくの促成栽培方法。
【請求項４】
上部に、酵素入り液体（Ｚ）を入れ、底面には無数の小孔（３ａ）を穿設した散水タンク（３）を配置し、
下部には、該散水タンク（３）より滴下する酵素入り液体（Ｚ）を受ける植付タンク（４）を設け、
該植付タンク（４）の上部には、にんにくのりん片（Ｘ）を保持する保持具（５）を設け、
該保持具（５）の側方には、所定の角度内側に向けて傾斜した側板（６）を設け、
該側板（６）にＬＥＤ照明（Ｙ）を設けた、栽培装置本体（１）からなる
ことを特徴とするにんにくの促成栽培装置。
【請求項５】
前記保持具（５）は、前記植付タンク（４）の上部に位置しており、上・下で網目の異なる２枚の通水板（５ａ）（５ｂ）で構成し、
上部の通水板（５ａ）はメッシュを大きく、下部の通水板（５ｂ）はメッシュを小さく形成し、
該上部の通水板（５ａ）と下部の通水板（５ｂ）とは、にんにくのりん片（Ｘ）が起立可能な縦幅寸法（α）を保って設ける
ことを特徴とする請求項４記載のにんにくの促成栽培装置。
【請求項６】
前記側板（６）は、内側面を鏡面仕上げに形成し、
該鏡面にＬＥＤ照明（Ｙ）を設けた
ことを特徴とする請求項４記載のにんにくの促成栽培装置。
【請求項７】
前記請求項４記載のにんにくの栽培装置本体（１）を、複数段積層した
ことを特徴とするにんにくの促成栽培装置。
【請求項８】
前記栽培装置本体（１）の上部に、上タンク（２ａ）を設け、下部には下タンク（２ｂ）を設け、
該上タンク（２ａ）からは、各散水タンク（３）に向けて、酵素入り液体（Ｚ）の分配する分配管（７）を設け、
該下タンク（２ｂ）は、植付タンク（４）より滴下した酵素入り液体（Ｚ）を受け、再び、上タンク（２ａ）に向けて戻す
ことを特徴とする請求項４または７記載のにんにくの促成栽培装置。
【請求項９】
前記散水タンク（３）の平面の面積を、その上方に位置する前記植付タンク（４）と同一、あるいは、半分の大きさに形成する
ことを特徴とする請求項４または５または８記載のにんにくの促成栽培装置。